(57)【特許請求の範囲】
【請求項１】
ネックレス用のチェーンやブローチ用ピン等の装着具が取り付けられる台座体と、該台座体の前面側に、これと重なるように配置された揺動装飾体とを有し、
前記台座体の前面には、揺動装飾体の背面が揺動可能に当接される揺動装飾体背面当接部を備えるとともに前記揺動装飾体の背面には前記揺動装飾体背面当接部に当接する左右方向に湾曲する凸曲面状をした台座当接面を備え、
前記揺動装飾体の上端部には、前記台座体に対して揺動自在に連結する連結部材を備え、該連結部材を前記台座体の上端側部分に対し、前記揺動装飾体が振り子状に揺動可能に連結したことを特徴としてなる装身具。
【請求項２】
前記揺動装飾体は、その重心が前記台座当接面の曲率中心よりも台座当接面側に位置するように形成されている請求項１に記載の装身具。
【請求項３】
前記台座体の前面には、左右方向に延伸する突出方向先端が尖鋭に形成された突条が備えられており、該突条の先端が前記揺動装飾体背面当接部となっている請求項１又は２に記載の装身具。
【請求項４】
前記揺動装飾体の背面は、凸球面状に形成され、該凸球面状背面の上側曲面が前記台座当接面となっている請求項１，２又は３の何れか１項に記載の装身具。
【請求項５】
前記揺動装飾体には、その上端から突出する連結腕部を有し、該連結腕部の突出方向先端に前記連結部材が備えられている請求項１，２，３又は４の何れか１項に記載の装身具。
【請求項６】
前記台座体の前面上部には、前記連結腕部を挟む配置に突出した、前記連結腕部の横方向の移動を抑制する一対の過横移動防止部が形成されている請求項５に記載の装身具。
【発明の詳細な説明】
【技術分野】
【０００１】
本発明は、宝石などの装飾体が取り付けられているペンダントやブローチなどの装身具において、装飾体を揺動させて装飾体の存在感を増大させる装身具に関する。
【背景技術】
【０００２】
従来、ペンダント等の装身具において、装飾体を好適に揺動するための構造を有したものとしては、図６に示す構造のペンダントが提案されている。（特許文献１）
このペンダント３０は、ネックレス用チェーン３１と、このチェーン３１に連結された台座部３２と、この台座部３２に揺動可能に連結された揺動装飾体３３とから構成されている。この台座部３２は、被装着者の胸元３４と面接触するように形成されているとともに、その前面には、隆起状に形成された吊下部３５が形成されており、この吊下部３５の先端に揺動装飾体３３が吊り下げられるようになっている。そして、揺動装飾体３３には、宝石３６が備えられている。
【０００３】
このペンダント３０は、隆起状に形成された吊下部３５の先端から揺動装飾体３３を吊り下げて、揺動装飾体３３が揺動する空間を前後左右に確保し、揺動装飾体３３が好適に揺動されるようにしている。
【特許文献１】特許３７７４８１５号公報
【発明の開示】
【発明が解決しようとする課題】
【０００４】
しかし、このような構造のペンダント３０は、ペンダント３０の装着者がソファー等に深く腰掛けた場合のように、ペンダント３０を寝かせるような状態にした際においては、揺動装飾体３３が、台座部３２もしくは被装着者の胸元３４等に当接して、好適に揺動しなくなるという問題があった。
【０００５】
そこで、本発明は、このような従来の問題に鑑み、寝かせたような状態にした場合でも装飾体が好適に揺動される装身具を提供することを目的とする。
【課題を解決するための手段】
【０００６】
上述の如き従来の問題を解決し、所期の目的を達成するための請求項１に記載の発明の特徴は、ネックレス用のチェーンやブローチ用ピン等の装着具が取り付けられる台座体と、該台座体の前面側に、これと重なるように配置された揺動装飾体とを有し、前記台座体の前面には、揺動装飾体の背面が揺動可能に当接される揺動装飾体背面当接部を備えるとともに前記揺動装飾体の背面には前記揺動装飾体背面当接部に当接する左右方向に湾曲する凸曲面状をした台座当接面を備え、前記揺動装飾体の上端部には、前記台座体に対して揺動自在に連結する連結部材を備え、該連結部材を前記台座体の上端側部分に対し、前記揺動装飾体が振り子状に揺動可能に連結したことにある。
【０００７】
請求項２に記載の発明の特徴は、請求項１に記載の構成に加え、前記揺動装飾体は、その重心が前記台座当接面の曲率中心よりも台座当接面側に位置するように形成されていることにある。
【０００８】
請求項３に記載の発明の特徴は、請求項１又は２に記載の構成に加え、前記台座体の前面には、左右方向に延伸する突出方向先端が尖鋭に形成された突条が備えられており、該突条の先端が前記揺動装飾体背面当接部となっていることにある。
【０００９】
請求項４に記載の発明の特徴は、請求項１，２又は３の何れか１項に記載の構成に加え、前記揺動装飾体の背面は、凸球面状に形成され、該凸球面状背面の上側曲面が前記台座当接面となっていることにある。
【００１０】
請求項５に記載の発明の特徴は、請求項１，２，３又は４の何れか１項に記載の構成に加え、前記揺動装飾体には、その上端から突出する連結腕部を有し、該連結腕部の突出方向先端に前記連結部材が備えられていることにある。
【００１１】
請求項６に記載の発明の特徴は、請求項５に記載の構成に加え、前記台座体の前面上部には、前記連結腕部を挟む配置に突出した、前記連結腕部の横方向の移動を抑制する一対の過横移動防止部が形成されていることにある。
【発明の効果】
【００１２】
本発明に係る装身具は、ネックレス用のチェーンやブローチ用ピン等の装着具が取り付けられる台座体と、台座体の前面側に、これと重なるように配置された揺動装飾体とを有し、台座体の前面には、揺動装飾体の背面が揺動可能に当接される揺動装飾体背面当接部を備えるとともに揺動装飾体の背面には揺動装飾体背面当接部に当接する左右方向に湾曲する凸曲面状をした台座当接面を備え、揺動装飾体の上端部には、台座体に対して揺動自在に連結する連結部材を備え、連結部材を台座体の上端側部分に対し、揺動装飾体が振り子状に揺動可能に連結していることにより、装身具が寝かされるような状態となった場合であっても、揺動装飾体が好適に揺動可能となっている。
【００１３】
更に、揺動装飾体が、その重心が台座当接面の曲率中心よりも台座当接面側に位置するように形成されていることにより、揺動装飾体をより美しく揺動させることができる。
【００１４】
更に、台座体の前面には、左右方向に延伸する突出方向先端が尖鋭に形成された突条が備えられており、この突条の先端が揺動装飾体背面当接部となっていることにより、台座体と揺動装飾体の接触部分が小さくなり、摩擦抵抗が減少し、より好適に揺動装飾体を揺動させることができる。
【００１５】
更に、揺動装飾体の背面を凸球面状に形成し、この凸球面の上側曲面を台座当接面とすることにより、揺動装飾体を容易に揺動させることができるとともに、揺動装飾体の台座体から受ける力の方向を連結部分とは反対側に向けることができ、装身具が寝かされるような状態となった場合であっても、揺動装飾体が連結部分側に移動することを防止することができる。
【００１６】
更に、揺動装飾体には、その上端から突出する連結腕部を有し、この連結腕部の突出方向先端に連結部材が備えられているので、振動運動の支点となる揺動装飾体と台座体の連結部分と、揺動装飾体の重心との間を離すことができ、振れ幅の小さな振動運動を好適に実現できる。
【００１７】
更に、台座体の前面上部には、連結腕部を挟む配置に突出した、連結腕部の横方向の移動を抑制する一対の過横移動防止部が形成されていることにより、装身具を傾けた際にも、揺動装飾体を台座体の前面に重なった状態に保つことができ、揺動装飾体を好適に揺動させることができる。
【発明を実施するための最良の形態】
【００１８】
次に本発明の実施の形態を図１〜図５に示した実施例に基づいて説明する。
【００１９】
図において、符号１は、本発明に係る装身具の一例を示している。この装身具１は、ネックレス用のチェーンやブローチ用ピン等の装着具が取り付けられる台座体２と、この台座体２の前面側に重なるように配置された揺動装飾体３とを有している。
【００２０】
この揺動装飾体３は、その上端部に設けられた連結部材４が、台座体２の上側部分に連結されることにより、台座体２の上側から吊り下げられ、振り子状に揺動可能となっている。また、揺動装飾体３は、その背面が台座体２の前面に当接されるようになっている。そして、揺動装飾体３背面の台座体２に当接される部分である台座当接面５は、左右方向に湾曲する凸曲面状に形成されており、台座体２の前面に備えられた揺動装飾体背面当接部６に当接されるようになっている。
【００２１】
この揺動装飾体３は、宝石１０と宝石１０を保持する宝石保持部１１とから構成されている。宝石１０は、逆円錐状に形成された胴部１０ａと、この胴部の上側に円錐台状に形成された頭部１０ｂとから構成され、頭部１０ｂの表面を装身具１の前面側に向けて、宝石保持部１１に設置されている。
【００２２】
宝石保持部１１は、本体が略ボウル状に形成され、凸球面状の背面を有している。そして、その凸球面状背面の上側が、台座体２に当接される台座当接面５となっている。この宝石保持部１１の本体の前面側には、宝石１０が設置されている。そして、宝石保持部１１の本体の前面側には、この宝石１０を把持する把持用凸部１２が形成されている。この把持用凸部１２は、宝石保持部１１の本体の前面側に突出するように形成され、宝石１０の胴部１０ａと頭部１０ｂの境目部分を挟むようにして宝石１０を把持するようになっている。また、この把持用凸部１２は、互いに対向するように設けられており、直交する直線上に４箇所に設けられている。
【００２３】
宝石保持部１１の本体上端には、連結腕部１３が突設されており、この連結腕部１３と台座体２とが連結されることにより、宝石保持部１１と台座体２とが連結されている。この連結腕部１３は、宝石保持部１１の上端から上方に突出する棒状に形成されている。そして、この連結腕部１３の突出方向先端に、台座体２と連結するための連結部材４が備えられている。この連結部材４は、環状に形成され、台座体２に備えられた台座側連結部材１４に連結されている。また、台座側連結部材１４も環状に形成されており、連結部材４と台座側連結部材１４は、図３に示すように、チェーン状に連結されている。
【００２４】
このように、宝石保持部１１全体は略スプーン状に形成され、その握りに相当する部分が連結腕部１３となっている。また、宝石保持部１１の背面は、連結腕部１３から宝石保持部１１の本体にかけて略涙形状に形成されている。そして、この揺動装飾体３は、装身具１を横にした際にも、図５（ａ）〜（ｃ）に示すように、左右に宝石１０の表面を傾かせるような振動運動をするようになっている。即ち、揺動装飾体３の重心が台座当接面５の曲率中心よりも台座当接面５側に位置するように形成されている。
【００２５】
台座体２は、被装着面に当接される略板状に形成された台座体本体２０と、この台座体本体２０の上部前面に突出形状に形成された吊下部２１を有している。この吊下部２１は、略半球状に形成されており、その内部に図３に示すように、台座体２と揺動装飾体３が連結される空間である連結空間２２を有している。また、吊下部２１の下面には、揺動装飾体３の連結腕部１３が挿入される連結腕挿入孔２２ａが形成され、連結空間２２と一体となっている。この連結空間２２内には、前述した台座側連結部材１４が、連結空間２２の上側面から下向きに突出された棒状部分の先端に、リング状に設けられており、連結腕挿入孔２２ａから挿入された揺動装飾体３の連結腕部１３先端に備えられた連結部材４と連結されている。
【００２６】
また、この吊下部２１の連結腕挿入孔２２ａの左右両縁は、過横移動防止部となっている。この過横移動防止部は、吊下部２１において、台座体２前面から連結腕部１３の左右に突出して、揺動装飾体３が左右に必要以上に振れることを防止し、装身具１を傾けた際にも揺動装飾体３が台座体本体２０の前面に位置するようにしているものである。
【００２７】
吊下部２１の両側面には、ネックレス用チェーンを挿入するためのチェーン挿入孔２３が形成されている。このチェーン挿入孔２３は、連結空間２２と連通しており、ネックレス用チェーンを両チェーン挿入孔２３及び連結空間２２に挿通させることにより、ネックレス用チェーンを台座体２に取り付けることができるようになっている。
【００２８】
台座体本体２０の背面側は、平面状に形成され、被装着者の胸元等の被装着面と安定的に面接触するように形成されている。また、台座体本体２０の前面側は、略平面状に形成されるとともに、その上下方向略中央付近に、揺動装飾体背面当接部６が形成されている。この揺動装飾体背面当接部６は、台座体２の前面に左右方向に延伸された突条からなっている。そして、この揺動装飾体背面当接部６の突出方向先端は、尖鋭に形成されており、その先端が揺動装飾体３の台座当接面５と当接されるようになっている。尚、揺動装飾体３は、この台座当接面５を揺動装飾体背面当接部６に当接させる以外には、台座体本体２０の前面とは当接しないようになっている。
【００２９】
この装身具１は、図４に示すように、ネックレス用チェーンＡを台座体に取り付けて使用することができる。また、この装身具１は、ブローチとしても使用することができる。その際には、台座体本体の背面側に、ブローチ用のピンやクリップ等を取り付けて使用する。尚、この場合、チェーン挿入孔２３は無くてもよい。
【００３０】
また、本実施例において、揺動装飾体背面当接部６は、突条状に形成されているが、平面状に形成してもよい。また、台座体本体２０の下側縁の角部、即ち、台座体本体２０の前面と底面の交差する角部分を揺動装飾体背面当接部６としてもよい。
【図面の簡単な説明】
【００３１】
【図１】本発明に係る装身具の一例を示す正面図である。
【図２】同上の側面図である。
【図３】同上の部分断面図である。
【図４】同上の使用例を示す正面図である。
【図５】同上の揺動装飾体の振動運動を示す説明図である。
【図６】従来のペンダントを示す側面図である。
【符号の説明】
【００３２】
１ 装身具
２ 台座体
３ 揺動装飾体
４ 連結部材
５ 台座当接面
６ 揺動装飾体背面当接部
１０ 宝石
１０ａ 胴部
１０ｂ 頭部
１１ 宝石保持部
１２ 把持用凸部
１３ 連結腕部
１４ 台座側連結部材
２０ 台座体本体
２１ 吊下部
２２ 連結空間
２２ａ 連結腕挿入孔
２３ チェーン挿入孔
３０ ペンダント
３１ ネックレス用チェーン
３２ 台座部
３３ 揺動装飾体
３４ 胸元
３５ 吊下部
３６ 宝石
【図１】
0005234455.tif 000002
【図２】
0005234455.tif 000003
【図３】
0005234455.tif 000004
【図４】
0005234455.tif 000005
【図５】
0005234455.tif 000006
【図６】
0005234455.tif 000007